【事件の表示】
　平成１１年特許願第１９８８９３号「遊技機」拒絶査定に対する審判事件［平成１２年　１月２５日出願公開、特開２０００−　２４２０６］について、次のとおり審決する。
【結　論】
　本件審判の請求は、成り立たない。
【理　由】
　
１，手続きの経緯・本願発明
　本願は、平成２年６月２５日に出願した特願平２−１６６１５５号の一部を平成１１年７月１３日に新たな特許出願としたものであって、その請求項１乃至２に係る発明は、平成１４年９月１１日付け及び平成１５年１１月２７日付けで補正された明細書並びに出願当初の図面の記載からみて、本願の特許請求の範囲の請求項１乃至２に記載されたとおりのものと認められるところ、その請求項１に係る発明は、次のとおりのものである。
　【請求項１】複数の図柄を可変表示可能な図柄表示装置を備え、その図柄表示装置に確定表示された図柄の表示態様が予め定められた大当り表示態様である場合に大当りモードとなる遊技機において、前記図柄表示装置には複数の図柄表示部を横並びに設け、それら各図柄表示部の可変表示を留保すべく始動入賞した個数を点灯個数で表示する複数の始動入賞表示部を横並びに設け、前記始動入賞表示部よりも前記各図柄表示部に近接し、かつ各図柄表示部を挟んで対をなすように照明手段をそれぞれ設け、それら対をなす各照明手段を、それらに挟まれた図柄表示部における図柄の可変表示を停止させるタイミングに同期して能動化させる照明制御手段を設けたことを特徴とする遊技機。（以下「本願発明」という）
　　
２，引用刊行物に記載された発明及び本願発明との比較・検討
　これに対して、当審における、平成１５年９月４日付けで通知した拒絶の理由に引用した特開平２−９８３８７号公報（平成２年４月１０日公開）（以下「引用刊行物」という）の
　
　公報第２頁左上欄第６行−第１５行には「この発明は第３５図に示すように、複数の数字、文字、図柄等の記号を表示可能なドットマトリクス型の可変表示装置１０１と、特定入賞口１０２への打球の入賞に応じて可変表示装置１０１の表示を送り更新する表示更新手段１０３と、この送り更新を停止する表示停止手段１０４と、送り更新の停止時の表示記号の組み合わせによって大当たりかどうかを判定する手段１０５と、大当たりの発生により特別遊技態様に変換する変動入賞装置１０６とを備える」と、
　公報第３頁左上欄第１３行−右上欄第１２行には「可変表示部４４には・・・種々の数字、文字、図柄等の表示および発光の位置を変えることによって横方向や縦方向等に移動表示等が可能である。記憶個数表示部４６は、４つのＬＥＤからなり、特定入賞口６ａ〜６ｃへ入賞した球数の未処理個数（後述する）をＬＥＤの点灯個数にて表示する。また、表示基板４９には可変表示部４４の上方に３群の停止表示ＬＥＤ５１ａ〜５１ｃ（それぞれ３つのＬＥＤからなる）が・・・取り付けられる。停止表示ＬＥＤ５１ａ〜５１ｃは、可変表示部４４を３つの画面４４ａ，４４ｂ，４４ｃに分けるように間をおいて配置されると共に、それぞれ発光色の異なる２種類の素子を備え、緑色あるいは赤色に発光可能である。」と、
　公報第４頁右上欄第２行−第１２行には「第１４図は制御系のブロック構成を示すもので、制御装置７６はＣＰＵ，ＲＯＭ，ＲＡＭ等からなるマイクロコンピュータにて構成され・・・停止表示ＬＥＤ５１ａ〜５１ｃ・・・等を制御する。」と、
　公報第６頁左上欄第６行−第１３行には「表示図柄は左、中、右デジタルともに第２６図（Ａ）のように１６種類あり、変動順序（回転順序）は左、中、右デジタルともに図の上から下である。図中カッコ内はプログラムで扱う数値である。また、表示図柄の組み合わせは１６×１６×１６＝４０９６通りあり、そのうち大当たりとなる組み合わせは第２６図（Ｂ）のように１７通りある。」と、
　公報第１１頁左上欄第１０行−第１２頁右上欄第１５行には「次に、上記のように構成されたパチンコ機における遊技を説明する。まず、打球発射装置により遊技部３に打球が発射される前あるいは遊技部３に打球が発射されていても打球が特定入賞口６ａ〜６ｃに入賞しないときは、・・・停止表示ＬＥＤ５１ａ〜５１ｃは、選択的に赤と緑に交互に点灯、点滅し・・・そして、遊技部３に発射された打球がうまく特定入賞口６ａ〜６ｃに入賞すると、デジタル４４の図柄が回転を始め・・・停止表示ＬＥＤ５１ａ〜５１ｃが消灯する・・・次に、デジタル４４の自然停止時間が経過するとあるいはストップスイッチ２２が押されると・・・左、中、右デジタル４４ａ〜４４ｃに停止する図柄が決定される・・・スクロールは第２８図のように停止図柄の２つの前の図柄から緩やかな更新速度で行われ、この場合前記スクロール時間が経過すると停止する・・・左デジタル４４ａのスクロールが停止すると、固定時間経過後に中デジタル４４ｂのスクロールが開始され・・・時間（スクロール時間）が経過すると、中デジタル４４ａ（注：４４ｂの誤記と認める）のスクロールが停止され、次に固定時間経過後に右デジタル４４ｃのスクロールが開始され・・・時間（スクロール時間）が経過すると、右デジタル４４ｃのスクロールが停止される・・・また、この場合各デジタル４４ａ〜４４ｃが停止するのに伴い停止表示ＬＥＤ５１ａ〜５１ｃが、例えば左デジタル４４ａが停止すると対応する停止表示ＬＥＤ５１ａが緑に点灯し、次に中デジタル４４ｂが左デジタル４４ａと同図柄で停止すると対応する停止表示ＬＥＤ５１ｂが同じく緑に点灯し、さらに右デジタル４４ｃがこのとき左、中デジタル４４ａ、４４ｂと異なる図柄で停止すると対応する停止表示ＬＥＤ５１ｃが赤に点灯するが、左、中デジタル４４ａ，４４ｃ（注：４４ａ、４４ｂの誤記と認める）と同図柄で停止すると停止表示ＬＥＤ５１ｃがＬＥＤ５１ａ，５１ｂと同じく緑に点灯する・・・このため・・・先のＬＥＤ５１ａ，５１ｂが緑になれば、デジタル４４ａ，４４ｂの停止図柄と共に当たりの可能性が高いことを知ることができ・・・当たりの可能性への高い期待感が得られる。」と、
　公報第１２頁左下欄第５行−第１５行には「特定入賞口６ａ〜６ｃへの打球の入賞後、当たり、はずれの判定が出るまでの間に、さらに特定入賞口６ａ〜６ｃに打球が入賞すると、その入賞球数を未処理貯留数として記憶個数表示部４６が点灯し、当たり、はずれの判定後（あるいは特別遊技終了後）、再び前記制御が繰り返される・・・そして、当たりとなれば、所定のウェイトタイム経過後に変動入賞装置５のアタッカー（可動部材５６ａ，５６ｂ）が開かれる」と、
　公報第１４頁右上欄第３行−第１６行には「デジタル４４の図柄の停止に伴い、当たりの可能性の有無に応じて順に停止表示ＬＥＤ５１ａ〜５１ｃが緑あるいは赤に点灯されると共に、大当たりの発生時には停止表示ＬＥＤ５１ａ〜５１ｃ・・・が一斉に点滅を開始するので、高い装飾効果が得られ、大当たり発生に対する楽しみおよび大当たり発生時の喜びが増大する。また、大当たりのアタッカー５６ａ，５６ｂの開動作中には、打球が・・・高い確率で変動入賞装置５に入賞するようになる」と、
　公報第１４頁左下欄第６行−第１０行には「特定入賞口６ｂ，６ｃに入賞した入賞球は、記憶個数表示部４６に表示される貯留球となるため、大当たりが終了すると、終了後その貯留球に応じてデジタル４４が回転される。」と  記載されている。
　
　なお、上記のように符号「４４」の用語として「可変表示部」と「デジタル」とを、符号「４４ａ」の用語として「画面」と「左デジタル」とを、符号「４４ｂ」の用語として「画面」と「中デジタル」とを、また符号「４４ｃ」の用語として「画面」と「右デジタル」とを記載しているので、以下においては、それぞれ「デジタル可変表示部」、「左デジタル画面」、「中デジタル画面」、「右デジタル画面」と記載する。
　
　また、可変表示装置の正面図である第５図及び同装置の分解斜視図である第８図には、デジタル可変表示部４４には３つのデジタル画面４４ａ〜４４ｃを横並びに設け、４つのＬＥＤからなる記憶個数表示部４６を横並びに設け、停止表示ＬＥＤ５１ａ〜５１ｃはデジタル可変表示部４４の各デジタル画面４４ａ〜４４ｃの上方にそれぞれ対応して設けられることが記載されていると認められる。
　
　したがって、これらの記載によれば、引用刊行物には以下の発明が記載されていると認められる。
　「種々の図柄を移動表示可能なデジタル可変表示部４４を備え、そのデジタル可変表示部に停止表示された図柄の組み合わせが予め定められた大当たり表示図柄の組み合わせである場合に特別遊技態様となるパチンコ機において、前記デジタル可変表示部４４には複数のデジタル画面４４ａ〜４４ｃを横並びに設け、それら各デジタル画面の当たり、はずれの判定が出るまでの間の特定入賞口への入賞球数を点灯個数にて表示する複数の記憶個数表示部４６を横並びに設け、各デジタル画面４４ａ〜４４ｃの上方に停止表示ＬＥＤ５１ａ〜５１ｃをそれぞれ対応して設け、それら各停止表示ＬＥＤをそれらに対応したデジタル画面４４ａ〜４４ｃにおける図柄の移動表示が停止すると点灯させる制御装置７６を設けたパチンコ機」（以下引用発明という）
　　　
　本願発明と引用発明とを比較する。
　引用発明の「デジタル可変表示部４４」、「停止表示された図柄の組み合わせ」、「大当たり表示図柄の組み合わせ」、「特別遊技態様」、「パチンコ機」、「デジタル画面」、「各デジタル画面の当たり、はずれの判定が出るまでの間の特定入賞口への入賞球数を点灯個数にて表示する複数の記憶個数表示部４６」は、本願発明の「図柄表示装置」、「確定表示された図柄の表示態様」、「大当り表示態様」、「大当りモード」、「遊技機」、「図柄表示部」、「各図柄表示部の可変表示を留保すべく始動入賞した個数を点灯個数で表示する複数の始動入賞表示部」にそれぞれ相当する。そして、引用発明の「停止表示ＬＥＤ５１ａ〜５１ｃ」は、本願発明の「照明手段」と比較して「発光表示手段」の限りにおいて一致し、また引用発明の「制御装置７６」は本願発明の「照明制御手段」と比較して、「発光表示制御手段」の限りにおいて一致するから、両者の一致点及び相違点は次のとおりである。
　
　一致点
　複数の図柄を可変表示可能な図柄表示装置を備え、その図柄表示装置に確定表示された図柄の表示態様が予め定められた大当り表示態様である場合に大当りモードとなる遊技機において、前記図柄表示装置には複数の図柄表示部を横並びに設け、それら各図柄表示部の可変表示を留保すべく始動入賞した個数を点灯個数で表示する複数の始動入賞表示部を横並びに設け、図柄表示部の周辺に発光表示手段をそれぞれ設け、各発光表示手段をそれらに対応した図柄表示部における図柄の可変表示を停止させるタイミングに同期して能動化させる発光表示制御手段を設けた遊技機。
　
　相違点
　（Ａ）本願発明では、始動入賞表示部よりも各図柄表示部に近接し、かつ各図柄表示部を挟んで対をなすように照明手段をそれぞれ設けたのに対し、引用発明では、図柄表示部の周辺に始動入賞表示部及び発光表示手段を設けた点
　（Ｂ）本願発明では照明制御手段を設けたのに対し、引用発明では発光表示制御手段を設けた点
　
　そこで、上記相違点について検討する。
　相違点（Ａ）について
　本願発明の照明手段は、明細書の記載によれば、「高輝度発光ダイオードを複数並べて特殊な棒状レンズを被覆したものであり、ライン状に一光源の如く点滅するもので」、「明るく点灯することにより」（段落【００１７】に記載）、「停止図柄を照明手段の照明効果によって強調し当該図柄の印象を鮮明に浮き出すことが可能」（段落【０００６，００３３】に記載）なものである。これに対し、引用発明の発光表示手段は、上記のようにそれぞれ３つのＬＥＤからなる停止表示ＬＥＤであって、デジタル画面（本願発明の「図柄表示部」に相当）が停止すると対応する停止表示ＬＥＤが点灯し停止を遊技者に知らせるものであるから、少なくとも遊技者側に発光しているものと認められ、そうすると点灯発光部の周辺が照らされることは通常予測される事項である。
　そして、照明手段を照射したい部分に近接して設ければ遠方に設けるよりも、また照射したい部分の両側から対にして照射すれば一方向から照射するよりも、それぞれ照明効果が高いことは当然のことであり、さらに、発光部材の点灯発光を照明に利用することは周知・慣用である（必要であれば、実願昭６０−７００８９号（実開昭６１−１８６１０１号）のマイクロフィルムを参照）から、これらの事項を考え併せれば、引用発明の発光表示手段を照明手段とし、始動入賞表示部よりも各図柄表示部に近接し、かつ各図柄表示部を挟んで対をなすように照明手段をそれぞれ設けて本願発明の構成とすることは当業者が容易になし得ることである。
　
　相違点（Ｂ）について
　上記「相違点（Ａ）について」で記載したように、発光表示手段が周囲を照らすことは当然予測される事項であるから、引用発明の発光表示手段を照明手段とすることは当業者が容易になし得ることである。そうすると、発光表示制御手段を照明制御手段とすることは、制御手段としての技術的な差異を認められず、単に表現上の差異と認められるから、当業者が容易になし得ることである。
　
３，むすび
　したがって、本願の請求項１に係る発明は、引用刊行物に記載された発明及び周知・慣用技術に基づいて当業者が容易に発明をすることができたものであるから、特許法第２９条第２項の規定により特許を受けることができない。
　
　よって、結論のとおり審決する。